(57)【特許請求の範囲】
【請求項１】
複合同期パルスを使用し、Ｒ、Ｇ、Ｂ形のカラー映像信号をＮＴＳＣ／ＰＡＬの選択信号によりＮＴＳＣシステムの複合映像信号及びＰＡＬシステム複合映像信号の中選択された一つにエンコーディングする装置であって、
前記Ｒ、Ｇ、Ｂ形のカラー映像信号及び前記複合同期パルスを操作し複合同期パルスの合体された輝度信号を出力する手段と、
前記Ｒ、Ｇ、Ｂ形のカラー映像信号を操作し色信号を出力する手段と、
多数の操作トランスコンダクタンス増幅器を有し、前記色信号に対し帯域通過フィルタリングを遂行するものであり、通過帯域が、その中に含まれる前記操作トランスコンダクタンス増幅器のトランスコンダクタンスの変化に起因し異なるようになるＯＴＡ帯域通過フィルタと、
多数の操作トランスコンダクタンス増幅器を有し、前記輝度信号を遅延させるものであり、遅延時間が、その中に含まれる前記操作トランスコンダクタンス増幅器のトランスコンダクタンス変化に起因し異なるようになるＯＴＡ遅延素子と、
前記ＮＴＳＣ／ＰＡＬの選択信号により第１制御信号及び第２制御信号を発生するものであり、第１制御信号は前記ＯＴＡ帯域通過フィルタに含まれる操作トランスコンダクタンス増幅器のトランスコンダクタンスを制御し、第２制御信号は前記ＯＴＡ遅延素子に含まれる操作トランスコンダクタンス増幅器のトランスコンダクタンスを制御するようになるＯＴＡ制御信号発生部と、
前記ＯＴＡ帯域通過フィルタの出力及び前記ＯＴＡ遅延素子の出力を混合し複合映像信号を出力する手段を具備するＲＧＢエンコーダにおいて、
前記ＯＴＡ帯域通過フィルタは、
一方が前記ＯＴＡ帯域通過フィルタの入力に結合される第１キャパシタと、
一方が前記第１キャパシタの他端に結合される第２キャパシタと、
接地に連結された第１入力端子、帰還信号を受信する第２入力端子及び第１キャパシタの他端に結合された出力端子を有し、前記第１制御信号によりその自身のトランスコンダクタンス値が異なる第１操作トランスコンダクタンス増幅器と、
前記第１操作トランスコンダクタンス増幅器の出力端子に結合された第１入力端子、前記第２キャパシタの他端に結合された第２入力端子及び前記第２キャパシタの他端に結合された出力端子を有し、前記第２制御信号によりその自身のトランスコンダクタンス値が異なる第２操作トランスコンダクタンス増幅器と、
前記第２操作トランスコンダクタンス増幅器の出力端子及び接地の間に結合された第３キャパシタを具備し、
前記第１操作トランスコンダクタンス増幅器及び第２操作トランスコンダクタンス増幅器の中いずれか一つは、
第１差動増幅回路と、
第１差動増幅回路の共通のエミッタ端子と接地の間に結合され前記第１制御信号により電流値が変化する第１可変電流ソースと、
供給電源と前記第１差動増幅回路の出力端子の間に結合され前記第１可変電流ソースの電流値の１／２に当たる電流が流れる第２可変電流ソースを具備することを特徴とするＲＧＢエンコーダ。
【請求項２】
複合同期パルスを使用し、Ｒ、Ｇ、Ｂ形のカラー映像信号をＮＴＳＣ／ＰＡＬの選択信号によりＮＴＳＣシステムの複合映像信号及びＰＡＬシステム複合映像信号の中選択された一つにエンコーディングする装置であって、
前記Ｒ、Ｇ、Ｂ形のカラー映像信号及び前記複合同期パルスを操作し複合同期パルスの合体された輝度信号を出力する手段と、
前記Ｒ、Ｇ、Ｂ形のカラー映像信号を操作し色信号を出力する手段と、
多数の操作トランスコンダクタンス増幅器を有し、前記色信号に対し帯域通過フィルタリングを遂行するものであり、通過帯域が、その中に含まれる前記操作トランスコンダクタンス増幅器のトランスコンダクタンスの変化に起因し異なるようになるＯＴＡ帯域通過フィルタと、
多数の操作トランスコンダクタンス増幅器を有し、前記輝度信号を遅延させるものであり、遅延時間が、その中に含まれる前記操作トランスコンダクタンス増幅器のトランスコンダクタンス変化に起因し異なるようになるＯＴＡ遅延素子と、
前記ＮＴＳＣ／ＰＡＬの選択信号により第１制御信号及び第２制御信号を発生するものであり、第１制御信号は前記ＯＴＡ帯域通過フィルタに含まれる操作トランスコンダクタンス増幅器のトランスコンダクタンスを制御し、第２制御信号は前記ＯＴＡ遅延素子に含まれる操作トランスコンダクタンス増幅器のトランスコンダクタンスを制御するようになるＯＴＡ制御信号発生部と、
前記ＯＴＡ帯域通過フィルタの出力及び前記ＯＴＡ遅延素子の出力を混合し複合映像信号を出力する手段を具備するＲＧＢエンコーダにおいて、
前記ＯＴＡ遅延素子は、
ＯＴＡを含み、低域通過フィルタリングを遂行する低域通過フィルタと、ＯＴＡを含み、ＮＴＳＣシステムの色副搬送波の周波数のような周波数成分をトラップする第１トラップフィルタと、
ＯＴＡを含み、ＰＡＬシステムの色副搬送波の周波数のような周波数成分をトラップする第２トラップフィルタを具備し、
前記低域通過フィルタ、前記第１及び第２トラップフィルタが直列で結合されており、
前記低域通過フィルタは、
前記輝度信号を受信する第１入力端子を有し、その自身のトランスコンダクタンスが前記第２制御信号により変化する第３操作トランスコンダクタンス増幅器と、
前記第３操作トランスコンダクタンス増幅器の出力端子に結合された第１入力端子、その自身の第２入力端子及び前記第３操作トランスコンダクタンス増幅器の第２入力端子に共通結合された出力端子を有し、第２制御信号によりトランスコンダクタンス値が異なる第４操作トランスコンダクタンス増幅器と、前記第３操作トランスコンダクタンス増幅器の出力端子と接地の間に結合される第４キャパシタと、
前記第４操作トランスコンダクタンス増幅器の出力端子と接地の間に結合される第５キャパシタを具備し、
前記第３操作トランスコンダクタンス増幅器及び第４操作トランスコンダクタンス増幅器の中一つは、
第２差動増幅回路と、
第２差動増幅回路の共通エミッタと接地の間に結合され前記第２制御信号により電流値が変化する第３可変電流ソースと、
一方が供給電源に結合され他方が出力端子に結合され前記第３可変電流ソースの電流値の１／２に当たる電流を流す第４可変電流ソースを具備することを特徴とするＲＧＢエンコーダ。
【請求項３】
複合同期パルスを使用し、Ｒ、Ｇ、Ｂ形のカラー映像信号をＮＴＳＣ／ＰＡＬの選択信号によりＮＴＳＣシステムの複合映像信号及びＰＡＬシステム複合映像信号の中選択された一つにエンコーディングする装置であって、
前記Ｒ、Ｇ、Ｂ形のカラー映像信号及び前記複合同期パルスを操作し複合同期パルスの合体された輝度信号を出力する手段と、
前記Ｒ、Ｇ、Ｂ形のカラー映像信号を操作し色信号を出力する手段と、
多数の操作トランスコンダクタンス増幅器を有し、前記色信号に対し帯域通過フィルタリングを遂行するものであり、通過帯域が、その中に含まれる前記操作トランスコンダクタンス増幅器のトランスコンダクタンスの変化に起因し異なるようになるＯＴＡ帯域通過フィルタと、
多数の操作トランスコンダクタンス増幅器を有し、前記輝度信号を遅延させるものであり、遅延時間が、その中に含まれる前記操作トランスコンダクタンス増幅器のトランスコンダクタンス変化に起因し異なるようになるＯＴＡ遅延素子と、
前記ＮＴＳＣ／ＰＡＬの選択信号により第１制御信号及び第２制御信号を発生するものであり、第１制御信号は前記ＯＴＡ帯域通過フィルタに含まれる操作トランスコンダクタンス増幅器のトランスコンダクタンスを制御し、第２制御信号は前記ＯＴＡ遅延素子に含まれる操作トランスコンダクタンス増幅器のトランスコンダクタンスを制御するようになるＯＴＡ制御信号発生部と、
前記ＯＴＡ帯域通過フィルタの出力及び前記ＯＴＡ遅延素子の出力を混合し複合映像信号を出力する手段を具備するＲＧＢエンコーダにおいて、
前記ＯＴＡ遅延素子は、
ＯＴＡを含み、低域通過フィルタリングを遂行する低域通過フィルタと、ＯＴＡを含み、ＮＴＳＣシステムの色副搬送波の周波数のような周波数成分をトラップする第１トラップフィルタと、
ＯＴＡを含み、ＰＡＬシステムの色副搬送波の周波数のような周波数成分をトラップする第２トラップフィルタを具備し、
前記低域通過フィルタ、前記第１及び第２トラップフィルタが直列で結合されており、
前記第１トラップフィルタは、
第１入力端子に前記低域通過フィルタの出力を入力し第２制御信号によりトランスコンダクタンス値が異なる第５操作トランスコンダクタンス増幅器と、
第１入力端子が前記第５操作トランスコンダクタンス増幅器の出力端子に結合され、第２入力端子が前記第５操作トランスコンダクタンス増幅器の第２入力端子に結合され、出力端子が前記第５操作トランスコンダクタンス増幅器の第２入力端子に結合される第６操作トランスコンダクタンス増幅器と、
前記第５操作トランスコンダクタンス増幅器の第１入力端子と第６操作トランスコンダクタンス増幅器の出力端子の間に結合される第６キャパシタと、
前記第５操作トランスコンダクタンス増幅器の出力端子と接地の間に結合される第７キャパシタを具備し、
前記第５操作トランスコンダクタンス増幅器及び第６操作トランスコンダクタンス増幅器はそれぞれ、
第３差動増幅回路と、
第３差動増幅回路の共通のエミッタ端子と接地の間に結合され前記第２制御信号に応じて電流値が変化する第５可変電流ソースと、
一方が供給電源に結合され他方が出力端子に結合され、前記第５可変電流ソースの電流値の１／２に当たる電流を流す第６可変電流ソースを具備することを特徴とするＲＧＢエンコーダ。
【発明の詳細な説明】
【０００１】
【産業上の利用分野】
本発明は基本的なカラー映像信号（即ち、ＲＧＢ信号）と複合同期パルスを入力し複合映像信号を発生するＲＧＢエンコーダに係り、特にＮＴＳＣ／ＰＡＬの選択信号により標準ＮＴＳＣ方式またはＰＡＬ方式に動作モードがスイッチングされるＲＧＢエンコーダに関する。
【０００２】
【従来の技術】
図１は従来のＮＴＳＣ／ＰＡＬ兼用のＲＧＢエンコーダの構成を示すブロック図であり、Ｙ−マトリックス処理部１０１、Ｒ−Ｙ処理部１０２、Ｂ−Ｙ処理部１０３、バーストゲートパルス発生部１０４、同期分離部１０５、Ｒ−Ｙ信号変調部１０６、Ｂ−Ｙ信号変調部１０７、位相シフタ１０８、ＮＴＳＣ／ＰＡＬ選択部１０９、発振器１１０、加算部１１１、クロマバッファ１１２、帯域通過フィルタ１１３、同期加算部１１４、遅延素子１１５、ミキサ部１１６を含んで構成される。
【０００３】
図１を参照すれば、Ｙ−マトリックス処理部１０１はカメラチューブ及びマイコンから発生したＲ、Ｇ、Ｂ信号よりなる基本的なカラー信号を所定の割合で混合することにより輝度信号を発生する。ここで、Ｒ、Ｇ、Ｂ信号の混合割合は各入力端子の連結される抵抗の比を調節することにより調節される。このように生成された輝度信号は同期加算部１１４で複合同期パルスに加算される。
【０００４】
同期分離部１０５は入力される複合同期パルスから水平同期信号を分離し、分離された水平同期信号をバーストゲートパルス発生部１０４に印加する。バーストゲートパルスは複合同期パルス中にカラーバースト信号が現れる間アクティブされる。即ち、水平同期パルスが現れてから約０．５μｓｅｃ経た後一定の期間アクティブ状態になる。Ｒ−Ｙ処理部１０２は受信されたＲ信号から前記Ｙ−マトリックス処理部１０１から出力される輝度信号Ｙを減算し第１色差信号即ちＲ−Ｙ信号を生成し、Ｂ−Ｙ処理部１０３は受信されたＢ信号から前記Ｙ−マトリックス処理部１０１から出力される輝度信号Ｙを減算し第２色差信号即ちＢ−Ｙ信号を生成する。その後、このようなＲ−Ｙ信号及びＢ−Ｙ信号はＲ−Ｙ信号変調部１０６及びＢ−Ｙ信号変調部１０７でそれぞれ変調される。Ｒ−Ｙ信号変調部１０６及びＢ−Ｙ信号変調部１０７で使用される搬送波は発振器１１０で発生した後位相シフタ１０８でＮＴＳＣ／ＰＡＬ選択信号に対応して所定角度のみ対応される所定角度ほどずつより位相シフトされたものである。先ず、ＮＴＳＣシステムの場合に、Ｒ−Ｙ信号変調部１０６で使用される搬送波はＢ−Ｙ信号変調部１０７で使用される搬送波に対し９０°の位相差を有する。一方、ＰＡＬシステムの場合に、Ｒ−Ｙ信号変調部１０６で使用される搬送波はＢ−Ｙ信号変調部１０７で使用される搬送波と９０°の位相差を有すると同時にＲ−Ｙ信号変調部で使用される搬送波は水平走査ライン毎に１８０°ずつ位相シフトされる。従って、位相シフタは発振器１１０から発生した信号を入力した後、ＮＴＳＣシステムの場合には受信された信号と９０°位相シフトされた信号を出力し、ＰＡＬシステムの場合には一つの出力端子には受信された信号を出力し他の出力端子には９０°位相シフトされた信号と２７０°位相シフトされた信号を水平走査ライン毎に交代に出力する。Ｒ−Ｙ信号変調部１０６及びＢ−Ｙ信号変調部１０７を通じてそれぞれ変調されたＲ−Ｙ信号及びＢ−Ｙ信号は加算部１１１で加算された後クロマバッファ１１２を通じて帯域通過フィルタ１１３に印加される。帯域通過フィルタ１１３は加算部１１１を経てクロマバッファ１１２に印加される色信号に時々含まれる雑音を取り除く機能を遂行する。色信号は中心周波数が色副搬送波の周波数のような約１ＭＨｚの周波数帯域を有する。帯域通過フィルタ１１３はそのような周波数成分のみを通過させるようになり、その結果バンド以外に存在する雑音を取り除く。ここでＮＴＳＣシステムの場合に色副搬送波の周波数は約３．５８ＭＨｚでありＰＡＬシステムの場合に色副搬送波の周波数は約４．４３ＭＨｚである。遅延素子１１５は輝度信号に対する信号処理と色信号に対する信号処理の間での時間遅延差を補償する。ここで、ＮＴＳＣシステム及びＰＡＬシステムで発生する時間遅延が相異なる。ミキサ部１１６は遅延素子１１５から印加される輝度信号と帯域通過フィルタ１１３から印加される色信号を混合し、複合映像信号を提供する。
【０００５】
ここで、遅延素子１１５及び帯域通過フィルタ１１３はＮＴＳＣシステム及びＰＡＬシステムにより異に動作されるべきである。このような要求を満たすために、従来には二つの方法が提案されている。従来方法の中、その一つにおいて、遅延素子１１５及び帯域通過フィルタ１１３を時定数が調節され得る離散回路より構成される。図２に示したような他の従来の方法では、二つの遅延素子及び二つの帯域通過フィルタが別に形成されるが、一つの遅延素子及び一つの帯域通過フィルタはＮＴＳＣシステムに係り、他の一つの遅延素子及び他の一つの帯域通過フィルタはＰＡＬシステムに対するものであり、ＮＴＳＣ／ＰＡＬ選択信号により各一つずつのみがイネーブルされる。
【０００６】
しかしながら、離散回路形の遅延素子及び帯域通過フィルタを有するＲＧＢエンコーダはその応用回路を複雑にして望ましくない。一方、二つの遅延素子及び二つのバンドフィルタは半導体回路チップに集積できるという利点を有するが、厳格な回路デザイン条件のためにその自身の全体回路構造が非常に複雑になる問題点があり、結果的に製作コストが高くなり電力消耗が増加するようになる。
【０００７】
【発明が解決しようとする課題】
本発明の目的は半導体チップに具現されることができ、ＮＴＳＣ／ＰＡＬ選択信号により動作モードがＮＴＳＣシステムとＰＡＬシステムの間でスイッチングされるＲＧＢエンコーダを提供することである。
【０００８】
【課題を解決するための手段】
前記目的を達成するために本発明は、各種操作機構に可変コンダクタンス素子の１種である操作トランスコンダクタンス増幅器（ＯＴＡと略記する）を応用し、複合同期パルスを用いると共に、Ｒ、Ｇ、Ｂ三原色を復元できるような形式（以下ＲＧＢ形または「ＲＧＢ」のように略記）のカラー映像信号をＮＴＳＣ／ＰＡＬの選択信号によりＮＴＳＣシステム複合映像信号及びＰＡＬシステム複合映像信号の中選択された一つにエンコーディングする装置において、前記Ｒ、Ｇ、Ｂ形のカラー映像信号及び前記複合同期パルスを操作し複合同期パルスの合体された輝度信号を出力する手段と、前記Ｒ、Ｇ、Ｂ形のカラー映像信号を操作し色信号を出力する手段と、多数の操作トランスコンダクタンス増幅器を有し、前記色信号に対し帯域通過フィルタリングを遂行するものであり、通過帯域が、その中に含まれる前記操作トランスコンダクタンス増幅器のトランスコンダクタンスの変化に起因し異なるようになるＯＴＡ帯域通過フィルタと、多数の操作トランスコンダクタンス増幅器を有し、前記輝度信号を遅延させるものであり、遅延時間が、その中に含まれる前記操作トランスコンダクタンス増幅器ＯＴＡのトランスコンダクタンス変化に起因し異なるようになるＯＴＡ遅延素子と、前記ＮＴＳＣ／ＰＡＬの選択信号により第１制御信号及び第２制御信号を発生するものであり、第１制御信号は前記ＯＴＡ帯域通過フィルタに含まれる操作トランスコンダクタンス増幅器ＯＴＡのトランスコンダクタンスを制御し、第２制御信号は前記ＯＴＡ遅延素子に含まれる操作トランスコンダクタンス増幅器ＯＴＡのトランスコンダクタンスを制御するように調整・組み合わされた信号対を作るＯＴＡ制御信号発生部と、前記ＯＴＡ帯域通過フィルタの出力及び前記ＯＴＡ遅延素子の出力を混合し複合映像信号を出力する手段を具備するＲＧＢエンコーダを提供する。
【０００９】
【作用】
ＯＴＡ帯域通過フィルタは色信号に対し帯域通過フィルタリングを遂行する装置であり、通過帯域が、その中に含まれる操作トランスコンダクタンス増幅器のトランスコンダクタンスの変化に起因し異なるようになる。ＯＴＡ遅延素子は輝度信号を遅延させる装置であり、遅延時間が、その中に含まれる操作トランスコンダクタンス増幅器のトランスコンダクタンス変化に起因し異なるようになる。ＯＴＡ制御信号発生部はＮＴＳＣ／ＰＡＬ選択信号により第１制御信号及び第２制御信号を発生する。第１制御信号は前記ＯＴＡ帯域通過フィルタに含まれる操作トランスコンダクタンス増幅器のトランスコンダクタンスを制御し、第２制御信号は前記ＯＴＡ遅延素子に含まれる操作トランスコンダクタンス増幅器のトランスコンダクタンスを制御する。ミキサはＯＴＡ帯域通過フィルタの出力及び前記ＯＴＡ遅延素子の出力を混合し複合映像信号を出力する。
【００１０】
【実施例】
以下、添付した図面に基づき本発明を詳細に説明する。
【００１１】
図３は本発明によるものであり、ＮＴＳＣシステム及びＰＡＬシステムに動作モードがスイッチングされるＲＧＢエンコーダのブロック図である。
【００１２】
図１と比較してみる時、遅延素子１１５を代置するＯＴＡ遅延素子３０３及び帯域通過フィルタ１１３を代置するＯＴＡ帯域通過フィルタ３０２を含み、ＯＴＡ遅延素子３０３及びＯＴＡ帯域通過フィルタ３０２に印加されるＯＴＡ制御信号を発生するＯＴＡ制御信号発生部３０１を更に含む。また、本発明によるＲＧＢエンコーダはＯＴＡ遅延素子３０３の出力を受信しこれをチップの外部に提供するための輝度信号出力駆動部３０５とＯＴＡ帯域通過フィルタ３０２の出力を引き出しこれをチップの外部に提供するための色信号出力駆動部３０４を更に含む。このような色信号出力駆動部３０４及び輝度信号出力駆動部３０５は高品位映像信号を得るための映像信号処理に容易に使用されるためのものであり、それによって本発明によるＲＧＢエンコーダは高画質の映像信号を処理するための装置に適用できるという利点を有する。
【００１３】
図３で、ＯＴＡ遅延素子３０３及びＯＴＡ帯域通過フィルタ３０２はそれぞれＯＴＡを含んで構成されるものであり、ＯＴＡ制御信号発生部３０１の２個の出力である第１制御信号及び第２制御信号によりその中に含まれるＯＴＡのトランスコンダクタンスの値が異なる。第１制御信号及び第２制御信号はＯＴＡ制御信号発生部３０１から印加される。それで、ＯＴＡ遅延素子３０３の遅延時間は第１制御信号により制御されることができ、ＯＴＡ帯域通過フィルタ３０２の通過帯域周波数は第２制御信号により制御され得る。
【００１４】
図４ＡはＯＴＡ構成の一実施例を示す回路図であり、図４Ｂは図４Ａの具体的な回路図である。
【００１５】
図４Ａで、トランジスタＱ１、Ｑ２、Ｑ３、Ｑ４と抵抗Ｒ１、Ｒ２とダイオードＤ１、Ｄ２は基本的な差動増幅回路を構成する。定電流回路ＩＳはバイアスを提供する。一方、前記差動増幅回路の共通エミッタ端子と接地の間に連結される第１可変電流ソースＩｘ  の電流はＯＴＡ制御信号Ｖφにより変換される。また、ＯＴＡ制御信号Ｖφは供給電源と出力端子の間に連結される第２可変電流ソースＩｘ  ／２にも印加される。ここで、第２可変電流ソースＩｘ  ／２に流れる電流は第１可変電流ソースＩｘ  に流れる電流の１／２となる。
【００１６】
図４Ｂは前記図４Ａに示した定電流回路Ｉｓ  、第１可変電流ソースＩｘ  及び第２可変電流ソースＩｘ  ／２を含む基本差動増幅回路の一実施例を具体形に示したものである。ここで、基本差動増幅回路に含まれる定電流回路Ｉｓ  、第１可変電流ソースＩｘ  及び第２可変電流ソースＩｘ  ／２は集積回路に適するようにするためにトランジスタを使用した構造に具現される。図４Ｂで定電流回路Ｉｓ  はトランジスタＱｓ  と抵抗Ｒｓ  より構成され、第１可変電流ソースＩｘ  はトランジスタＱｘ１、トランジスタＱｘ２、抵抗Ｒｘ１及び抵抗Ｒｘ２より構成される。一方、第２可変電流ソースＩｘ  ／２はトランジスタＱｘ３、ダイオードＱｘ４、抵抗Ｒｘ３及び抵抗Ｒｘ４を含んで構成される。抵抗Ｒ１の抵抗値はまた抵抗Ｒ２の抵抗値と等しい。図４Ａ及び図４Ｂに示した通り形成されるＯＴＡのトランスコンダクタンスｇｍ  は次の式のように示される。
【００１７】
【数１】
0003539638.tif 000002
【００１８】
図５は本発明による図３に示したＯＴＡ帯域通過フィルタの構成を示す回路図であり、第１キャパシタＣ１、第２キャパシタＣ２、第３キャパシタＣ３、第１操作トランスコンダクタンス増幅器ＯＴＡ１及び第２操作トランスコンダクタンス増幅器ＯＴＡ２を含んで構成される。
【００１９】
図５において、第１操作トランスコンダクタンス増幅器ＯＴＡ１の第１入力端子［Ｖｉｎ（＋）  ］は接地され、第２入力端子［Ｖｉｎ（−）  ］へは第２操作トランスコンダクタンス増幅器ＯＴＡ２の出力端子から帰還される信号を入力する。第１キャパシタＣ１の一端はＯＴＡ帯域通過フィルタの入力端子に連結され、第１キャパシタＣ１の他端は第１操作トランスコンダクタンス増幅器ＯＴＡ１の出力に連結される。第１操作トランスコンダクタンス増幅器ＯＴＡ１の出力は第２キャパシタＣ２の一端及び第２操作トランスコンダクタンス増幅器ＯＴＡ２の第１入力端子［Ｖｉｎ（＋）  ］に共通に連結される。第２操作トランスコンダクタンス増幅器ＯＴＡ２の第２入力端子［Ｖｉｎ（−）  ］はＯＴＡ帯域通過フィルタの出力に連結され、また第２キャパシタＣ２の他端に連結される。第３キャパシタＣ３はＯＴＡ帯域通過フィルタの出力に連結される一端と接地に連結される他端を有する。第１操作トランスコンダクタンス増幅器ＯＴＡ１は図４Ａ乃至図４Ｂに示したように形成できるものであり、第１制御信号Ｖφ１がＯＴＡ制御信号Ｖφとして第１操作トランスコンダクタンス増幅器ＯＴＡ１に印加される。
【００２０】
第１及び第２操作トランスコンダクタンス増幅器ＯＴＡ１、ＯＴＡ２において、第１操作トランスコンダクタンス増幅器ＯＴＡ１のトランスコンダクタンスをｇｍ１とし第２操作トランスコンダクタンス増幅器ＯＴＡ２のトランスコンダクタンスをｇｍ２とすれば、前記ＯＴＡ帯域通過フィルタの伝達関数は次の式（２）のように示せる。
【００２１】
【数２】
0003539638.tif 000003
【００２２】
前記式（２）で共振周波数ω０  と選択度因子Ｑを算出すれば次の式（３）及び式（４）のように示せる。
【００２３】
【数３】
0003539638.tif 000004
【００２４】
【数４】
0003539638.tif 000005
【００２５】
以上で見た通り、本発明によるＯＴＡ帯域通過フィルタはその中に含まれるＯＴＡのトランスコンダクタンスが変化するにつれ共振周波数ω０  が変化する。選択度因子Ｑの値はほぼ変化しないが、これは第１制御信号Ｖφ１が異に印加されれば、ｇｍ１及びｇｍ２が変化するがその割合が一定に維持されるからである。
【００２６】
図６は本発明の一実施例により、図３に示したＯＴＡ遅延素子の構成を示す。低域通過フィルタ６０１、第１トラップフィルタ６０２及び第２トラップフィルタ６０３を含んで構成される。ここで、前記低域通過フィルタ６０１は第３操作トランスコンダクタンス増幅器ＯＴＡ３、第４操作トランスコンダクタンス増幅器ＯＴＡ４、第４キャパシタＣ４及び第５キャパシタＣ５を含む。第３操作トランスコンダクタンス増幅器ＯＴＡ３の第１入力端子［Ｖｉｎ（＋）  ］は、同期加算部１１４に連結され同期パルスが合体されている輝度信号を入力するＯＴＡ遅延素子の入力端子に当たる。一方、第３操作トランスコンダクタンス増幅器ＯＴＡ３の第２入力端子［Ｖｉｎ（−）  ］は第４操作トランスコンダクタンス増幅器ＯＴＡ４の出力に連結される。高周波雑音を取り除くために、第４キャパシタＣ４は第３操作トランスコンダクタンス増幅器ＯＴＡ３の出力端子と接地の間に連結され、第５キャパシタＣ５は第４操作トランスコンダクタンス増幅器ＯＴＡ４の出力端子と接地の間に連結される。ここで、第２制御信号Ｖφ２はトランスコンダクタンスを調節するために、第３操作トランスコンダクタンス増幅器ＯＴＡ３及び第４操作トランスコンダクタンス増幅器ＯＴＡ４の両方に印加される。
【００２７】
第１トラップフィルタ６０２及び第２トラップフィルタ６０３はほぱ類似した構造を有するものであり、それによりトラップされる周波数帯域がキャパシタのキャパシタンス及び抵抗の抵抗値により異なる。
【００２８】
第１トラップフィルタ６０２は第５操作トランスコンダクタンス増幅器ＯＴＡ５、第６操作トランスコンダクタンス増幅器ＯＴＡ６、第６キャパシタＣ６及び第７キャパシタＣ７を含んで構成される。
【００２９】
図６に示した第１トラップフィルタ６０２において、第５操作トランスコンダクタンス増幅器ＯＴＡ５の第１入力端子［Ｖｉｎ（＋）  ］は低域通過フィルタ６０１の出力に連結され、第５操作トランスコンダクタンス増幅器ＯＴＡの第２入力端子［Ｖｉｎ（−）  ］は第６操作トランスコンダクタンス増幅器ＯＴＡ６の出力端子に連結される。第７キャパシタＣ７は第５操作トランスコンダクタンス増幅器ＯＴＡ５の出力端子と接地の間に連結され高周波雑音を取り除く。第６操作トランスコンダクタンス増幅器ＯＴＡ６の第１入力端子［Ｖｉｎ（＋）  ］は第５操作トランスコンダクタンス増幅器ＯＴＡ５の出力端子に連結され、第６操作トランスコンダクタンス増幅器ＯＴＡ６の第２入力端子［Ｖｉｎ（−）  ］はその自身の出力端子に連結される。第６キャパシタＣ６は前記第５操作トランスコンダクタンス増幅器ＯＴＡ５の第１入力端子［Ｖｉｎ（＋）  ］と前記第６操作トランスコンダクタンス増幅器ＯＴＡ６の出力端子の間に連結され帰還線路として作用する。
【００３０】
ここで、前記第１トラップフィルタ６０２及び第２トラップフィルタ６０３は輝度信号から色搬送周波数域の雑音を取り除く。更に具体的に、第１トラップフィルタ６０２は周波数がＮＴＳＣシステムの色信号に対応する約３．５８ＭＨｚである雑音を取り除き、第２トラップフィルタ６０３は周波数がＰＡＬシステムの色信号に対応する約４．４３ＭＨｚである雑音を取り除く。
【００３１】
図７は本発明の一実施例により、図３に示したＯＴＡ制御信号発生部の回路図であり、比較部７０１，第１レベル選択部７０２及び第２レベル選択部７０３を含んで構成される。
【００３２】
図７において、信号バッファ７０１は変調されたＮＴＳＣ／ＰＡＬ選択信号を出力するために、前記ＮＴＳＣ／ＰＡＬ選択部１０９を通じて印加されるＮＴＳＣ／ＰＡＬ選択信号と所定の基準信号を比べる機能を遂行する。ここで、基準信号はトランジスタＱ７のベースの電圧に対応する。ＮＴＳＣ／ＰＡＬ選択信号はトランジスタＱ８のベースに印加される。キャパシタＣ１１はＮＴＳＣ／ＰＡＬ選択信号のレベルが急に変化するにつれ現れる高周波雑音を取り除く機能を遂行する。トランジスタＱ５及びトランジスタＱ６は電流バイアスを提供する機能を遂行する。
【００３３】
第１レベル選択部７０２及び第２レベル選択部７０３は前記信号バッファ７０１の出力により電圧の値が異なる第１制御信号Ｖφ１及び第２制御信号Ｖφ２をそれぞれ組み合わせて発生する。第１制御信号Ｖφ１の電圧はＮＴＳＣ／ＰＡＬ選択信号により一セットの二つの所定電圧の中から選択されたいずれか一つになり、第２制御信号Ｖφ２の電圧はＮＴＳＣ／ＰＡＬ選択信号により他のセットの二つの所定電圧の中から選択されたいずれか一つとなる。
【００３４】
ＯＴＡ制御信号発生部を更に具体的に述べることにする。先ず、ＮＴＳＣ／ＰＡＬ選択信号がＮＴＳＣシステムが選択されたことを示す場合に、即ちＮＴＳＣ／ＰＡＬ選択信号がハイレベル（例えば、５ボルト）の場合には信号バッファ７０１に含まれたトランジスタＱ８が“オン”され、信号バッファ７０１に含まれたトランジスタＱ７が“オフ”される。トランジスタＱ８及びトランジスタＱ７の状態により、トランジスタＱ９及びトランジスタＱ１４とトランジスタＱ１０及びトランジスタＱ１５が“オン”される。結果的に、トランジスタＱ１０が飽和状態の際コレクタ−エミッタ間の電圧をＶＣＥ１０−ＳＡＴとし、供給電源の電圧をＶＣＣとする時、トランジスタＱ１３のベースに印加される電圧は次のように示せる。
【００３５】
【数５】
0003539638.tif 000006
【００３６】
同様に、トランジスタＱ１８のベースにかかる電圧は次のように示せる。
【００３７】
【数６】
0003539638.tif 000007
【００３８】
一方、ＰＡＬ方式が選択される場合、即ちＮＴＳＣ／ＰＡＬ選択信号がローレベル（例えば、０ボルト）の場合には、トランジスタＱ８は“オフ”されトランジスタＱ７が“オン”される。それによりトランジスタＱ９及びトランジスタＱ１４とトランジスタＱ１０及びトランジスタＱ１５が“オフ”される。結果的に、トランジスタＱ１３のベースに印加される電圧は次の式のように示せる。
【００３９】
【数７】
0003539638.tif 000008
【００４０】
同様に、トランジスタＱ１８のベースにかかる電圧は次のように示せる。
【００４１】
【数８】
0003539638.tif 000009
【００４２】
第１制御信号Ｖφ１及び第２制御信号Ｖφ２はそれぞれ次のように示せる。
【００４３】
【数９】
0003539638.tif 000010
【００４４】
【数１０】
0003539638.tif 000011
【００４５】
ここで、ＶＢ１３  はトランジスタＱ１３のベース電圧を示し、ＶＢＥ１３（ＯＮ）はトランジスタＱ１３が“オン”された時トランジスタＱ１３のベース電圧とエミッタ電圧の間の電圧差を示す。ＶＢＥ１２（ＯＮ）及びＶＢＥ１１（ＯＮ）はトランジスタＱ１２及びトランジスタＱ１１が“オン”された時、それぞれトランジスタＱ１２及びトランジスタＱ１１のベース電圧及びエミッタ電圧の電圧差を示す。
【００４６】
ＶＢ１８  はトランジスタＱ１８のベース電圧を示し、ＶＢＥ１８（ＯＮ）はトランジスタＱ１８が“オン”された時トランジスタＱ１８のベース電圧とエミッタ電圧の間の電圧差を示す。ＶＢＥ１７（ＯＮ）及びＶＢＥ１６（ＯＮ）はトランジスタＱ１７及びトランジスタＱ１６が“オン”された時、それぞれトランジスタＱ１７及びトランジスタＱ１６のベース電圧及びエミッタ電圧の電圧差を示す。
【００４７】
第１及び第２レベル選択部７０２、７０３において、トランジスタＱ１３及びトランジスタＱ１８に印加される電圧がＮＴＳＣ／ＰＡＬ選択信号により変わるので、第１制御信号Ｖφ１及び第２制御信号Ｖφ２の出力レベルはＮＴＳＣ／ＰＡＬ選択信号により変化する。
【００４８】
図８はＮＴＳＣシステムに対するＯＴＡ帯域通過フィルタの周波数特性を示したグラフであり、図９はＰＡＬシステムに対するＯＴＡ帯域通過フィルタの周波数特性を示したグラフである。また、図１０はＮＴＳＣシステムに対するＯＴＡ遅延素子の周波数特性を示すグラフであり、図１１はＰＡＬシステムに対するＯＴＡ遅延素子の周波数特性を示すグラフである。
【００４９】
図８乃至図１１に示したグラフによれば、ＯＴＡ遅延素子及びＯＴＡ帯域通過フィルタは物理的な構造が異ならず、ＮＴＳＣ／ＰＡＬ選択信号により異なる共振周波数を持つようになる。
【００５０】
【発明の効果】
前述した通り、本発明は操作トランスコンダクタンス増幅器により構成される遅延素子及び帯域通過フィルタとＯＴＡ制御信号を発生するＯＴＡ制御信号発生部を含む。ＯＴＡ制御信号の電圧レベルはＮＴＳＣ／ＰＡＬ選択信号により異なる。ＲＧＢエンコーダはまた色信号出力駆動部と輝度信号出力駆動部を含み、高品位映像信号処理器に容易に適用される。ＲＧＢエンコーダは半導体チップに具現されることができ、その結果製造コストを減少させ、電力消耗が従来のＲＧＢエンコーダに比べ低くなる利点を有する。
【図面の簡単な説明】
【図１】ＮＴＳＣシステム及びＰＡＬシステムにスイッチングされる従来のＲＧＢエンコーダの概略的なブロック図である。
【図２】図１に示した遅延素子及びＢＦＴ（帯域通過フィルタ）の構成をそれぞれ示す。
【図３】ＮＴＳＣシステム及びＰＡＬシステムにスイッチングされる本発明によるＲＧＢエンコーダの概略的なブロック図である。
【図４】Ａ及びＢは一実施例によるＯＴＡを示す回路図てある。
【図５】本発明の一実施例による図３のＯＴＡ帯域通過フィルタの回路図である。
【図６】本発明の一実施例による図３のＯＴＡ遅延素子の回路図である。
【図７】本発明の一実施例による図３のＯＴＡ制御信号発生部の一実施例を示す回路図である。
【図８】ＮＴＳＣシステムに対するＯＴＡ帯域通過フィルタの周波数特性を示したグラフである。
【図９】ＰＡＬシステムに対するＯＴＡ帯域通過フィルタの周波数特性を示したグラフである。
【図１０】ＮＴＳＣシステムに対するＯＴＡ遅延素子の周波数特性を示すグラフである。
【図１１】ＰＡＬシステムに対するＯＴＡ遅延素子の周波数特性を示すグラフである。
【符号の説明】
１０１  Ｙ−マトリックス処理部、１０２  Ｒ−Ｙ処理部、１０３  Ｂ−Ｙ処理部、１０４  ＢＧＰ発生部、１０５  同期分離部、１０６  Ｒ−Ｙ変調部、１０７  Ｂ−Ｙ変調部、１０８  位相シフタ、１０９  ＮＴＳＣ／ＰＡＬ選択部、１１０  発振器、１１１  加算部、１１２  クロマバッファ、１１４  同期加算部、１１６  ミキサ、３０１  ＯＴＡ制御信号発生部、３０３  遅延素子、３０４
色信号出力駆動部、３０５  輝度信号出力駆動部
【図１】
0003539638.tif 000012
【図２】
0003539638.tif 000013
【図３】
0003539638.tif 000014
【図４】
0003539638.tif 000015
【図５】
0003539638.tif 000016
【図６】
0003539638.tif 000017
【図７】
0003539638.tif 000018
【図８】
0003539638.tif 000019
【図９】
0003539638.tif 000020
【図１０】
0003539638.tif 000021
【図１１】
0003539638.tif 000022